(57)【特許請求の範囲】
【請求項１】
特定小電力無線機をそれぞれ持つ自動販売機を複数台設置し、この各自動販売機の発生するデータを特定小電力無線機による交信によって最上位の一つの自動販売機（以下親自動販売機と呼ぶ）が収集し、その収集データを特定小電力無線機を持って親自動販売機と交信するハンディターミナル機が収集するデータ収集システムにおいて、
ハンディターミナル機が親自動販売機の収集データのうち、所定の１または複数の自動販売機のデータだけを指定し、連続的に一括して収集できるようにしたことを特徴とする特定小電力無線によるデータ収集システム。
【請求項２】
請求項１記載のデータ収集システムにおいて、
各自動販売機はそれぞれグループ番号を設定されて記憶し、
親自動販売機は各自動販売機の発生データをそれぞれ当該の自動販売機に設定された前記グループ番号とともに収集記憶し、
ハンディターミナル機はデータ収集対象のグループ番号を設定されて記憶し、該グループ番号を指定して親自動販売機へその収集データの送信を要求し、
親自動販売機はその収集データのうち、前記のように指定されたグループ番号のデータを検索してハンディターミナル機に送信するものであることを特徴とする特定小電力無線によるデータ収集システム。
【請求項３】
請求項１記載のデータ収集システムにおいて、
各自動販売機はそれぞれ固有の自販機番号を設定されて記憶し、
親自動販売機は各自動販売機の発生データをそれぞれ当該の自動販売機に設定された前記自販機番号とともに収集記憶し、
ハンディターミナル機は各自動販売機の前記自販機番号と各自動販売機の属するグループの番号との対応を示すテーブルを設定されるとともに、データ収集対象のグループ番号を設定されて記憶し、前記テーブルから該グループ番号に対応する前記自販機番号を順次読み出しつつ、この読み出した自販機番号を指定して親自動販売機へその収集データの送信を要求し、
親自動販売機はその収集データのうち、前記のように指定された自販機番号のデータを検索してハンディターミナル機に送信するものであることを特徴とする特定小電力無線によるデータ収集システム。
【請求項４】
請求項１記載のデータ収集システムにおいて、
各自動販売機はそれぞれ固有の自販機番号を設定されて記憶し、
親自動販売機は各自動販売機の発生データをそれぞれ当該の自動販売機に設定された前記自販機番号とともに収集記憶するとともに、各自動販売機の前記自販機番号と各自動販売機の属するグループ番号との対応を示すテーブルを設定されて記憶し、
ハンディターミナル機はデータ収集対象のグループ番号を設定されて記憶し、該グループ番号を指定して親自動販売機へその収集データの送信を要求し、
親自動販売機は前記テーブルから前記のように指定されたグループ番号に対応する前記自販機番号を順次読み出しつつ、その収集データのうち、前記のように読み出した自販機番号のデータを検索してハンディターミナル機に送信するものであることを特徴とする特定小電力無線によるデータ収集システム。
【請求項５】
請求項１記載のデータ収集システムにおいて、
各自動販売機はそれぞれ固有の自販機番号を設定されて記憶し、
親自動販売機は各自動販売機の発生データをそれぞれ当該の自動販売機に設定された前記自販機番号とともに収集記憶し、
ハンディターミナル機はデータ収集対象の１または複数の前記自販機番号を設定されて記憶し、該自販機番号を順次読み出しつつ、この読み出した自販機番号を指定して親自動販売機へその収集データの送信を要求し、
親自動販売機はその収集データのうち、前記のように指定された自販機番号のデータを検索してハンディターミナル機へ送信するものであることを特徴とする特定小電力無線によるデータ収集システム。
【請求項６】
請求項１記載のデータ収集システムにおいて、
各自動販売機はそれぞれ故障情報を記憶し、
親自動販売機は各自動販売機の発生データをそれぞれ当該の自動販売機に記憶されている故障情報とともに収集記憶し、
ハンディターミナル機は前記故障情報を指定して親自動販売機へその収集データの送信を要求し、
親自動販売機はその収集データのうち、前記のように指定された故障情報のある自動販売機のデータを検索してハンディターミナル機へ送信するものであることを特徴とする特定小電力無線によるデータ収集システム。
【請求項７】
請求項１記載のデータ収集システムにおいて、
各自動販売機はそれぞれ満杯数としきい値から検出したしきい値割れ情報を記憶し、
親自動販売機は各自動販売機の発生データをそれぞれ当該の自動販売機に記憶されているしきい値割れ情報とともに収集記憶し、
ハンディターミナル機は前記しきい値割れ情報を指定して親自動販売機へその収集データの送信を要求し、
親自動販売機はその収集データのうち、前記のように指定されたしきい値割れのある自動販売機のデータを検索してハンディターミナル機へ送信するものであることを特徴とする特定小電力無線によるデータ収集システム。
【請求項８】
請求項１記載のデータ収集システムにおいて、
各自動販売機はそれぞれ満杯数を記憶し、
親自動販売機は各自動販売機の発生データをそれぞれ当該の自動販売機に記憶されている満杯数とともに収集し、かつあらかじめ設定されている各自動販売機に対応したしきい値と前記満杯数及び発生データとからしきい値割れを算出した場合にこのしきい値割れ情報を記憶し、
ハンディターミナル機は前記しきい値割れ情報を指定して親自動販売機へその収集データの送信を要求し、
親自動販売機はその収集データのうち、前記のように指定されたしきい値割れのある自動販売機のデータを検索してハンディターミナル機へ送信するものであることを特徴とする特定小電力無線によるデータ収集システム。
【発明の詳細な説明】
【０００１】
【産業上の利用分野】
この発明は自動販売機（自販機とも略す）に発生するデータ（自販機データともいう）を収集するシステムであって、特定エリアに複数台設置した下位の自販機の自販機データを特定小電力無線を用いて最上位の自販機に収集し、その収集した自販機データを特定小電力無線を用いるハンディターミナル機（無線Ｈ／Ｔ機とも略す）で収集する方式の特定小電力無線によるデータ収集システムに関する。
【０００２】
【従来の技術】
自販機の特定小電力無線によるデータ収集システムとしては、本出願人の先願になる特開平４ー３４８４９２号がある。この先願のデータ収集システムでは、最上位の自販機から無線Ｈ／Ｔ機に自販機データを収集する場合、最上位の自販機が蓄積した全自販機のデータを収集していた。
【０００３】
【発明が解決しようとする課題】
しかし、このようなシステムでは、全自販機のデータを収集するために時間がかかり、またルートマンがルート作業を予定していない自販機データまで収集してしまい、必要なルート情報を得るために余分なデータ処理をする必要があった。例えば缶自販機とカップ自販機というようにルート作業の異なる自販機のデータも同時に収集するため、目的とするルート情報を得るのに効率が悪いといった問題があった。
【０００４】
この発明の目的は、上記の問題を解消し、自販機のデータ収集時間を短くし、またデータ処理を容易にすることで、ルート作業の効率向上をはかることができる特定小電力無線によるデータ収集システムを提供することである。
【０００５】
【課題を解決するための手段】
請求項１のデータ収集システムでは、
特定小電力無線機をそれぞれ持つ自動販売機を複数台設置し、この各自動販売機の発生するデータを特定小電力無線機による交信によって最上位の一つの自動販売機（以下親自動販売機と呼ぶ）が収集し、その収集データを特定小電力無線機を持って親自動販売機と交信するハンディターミナル機が収集するデータ収集システムにおいて、
ハンディターミナル機が親自動販売機の収集データのうち、所定の１または複数の自動販売機のデータだけを指定し、連続的に一括して収集できるようにする。
【０００６】
請求項２のデータ収集システムでは、
請求項１記載のデータ収集システムにおいて、
各自動販売機はそれぞれグループ番号を設定されて記憶し、
親自動販売機は各自動販売機の発生データをそれぞれ当該の自動販売機に設定された前記グループ番号とともに収集記憶し、
ハンディターミナル機はデータ収集対象のグループ番号を設定されて記憶し、該グループ番号を指定して親自動販売機へその収集データの送信を要求し、
親自動販売機はその収集データのうち、前記のように指定されたグループ番号のデータを検索してハンディターミナル機に送信するものであるようにする。
【０００７】
請求項３のデータ収集システムでは、
請求項１記載のデータ収集システムにおいて、
各自動販売機はそれぞれ固有の自販機番号を設定されて記憶し、
親自動販売機は各自動販売機の発生データをそれぞれ当該の自動販売機に設定された前記自販機番号とともに収集記憶し、
ハンディターミナル機は各自動販売機の前記自販機番号と各自動販売機の属するグループの番号との対応を示すテーブルを設定されるとともに、データ収集対象のグループ番号を設定されて記憶し、前記テーブルから該グループ番号に対応する前記自販機番号を順次読み出しつつ、この読み出した自販機番号を指定して親自動販売機へその収集データの送信を要求し、
親自動販売機はその収集データのうち、前記のように指定された自販機番号のデータを検索してハンディターミナル機に送信するものであるようにする。
【０００８】
請求項４のデータ収集システムでは、
請求項１記載のデータ収集システムにおいて、
各自動販売機はそれぞれ固有の自販機番号を設定されて記憶し、
親自動販売機は各自動販売機の発生データをそれぞれ当該の自動販売機に設定された前記自販機番号とともに収集記憶するとともに、各自動販売機の前記自販機番号と各自動販売機の属するグループ番号との対応を示すテーブルを設定されて記憶し、ハンディターミナル機はデータ収集対象のグループ番号を設定されて記憶し、該グループ番号を指定して親自動販売機へその収集データの送信を要求し、
親自動販売機は前記テーブルから前記のように指定されたグループ番号に対応する前記自販機番号を順次読み出しつつ、その収集データのうち、前記のように読み出した自販機番号のデータを検索してハンディターミナル機に送信するものであるようにする。
【０００９】
請求項５のデータ収集システムでは、
請求項１記載のデータ収集システムにおいて、
各自動販売機はそれぞれ固有の自販機番号を設定されて記憶し、
親自動販売機は各自動販売機の発生データをそれぞれ当該の自動販売機に設定された前記自販機番号とともに収集記憶し、
ハンディターミナル機はデータ収集対象の１または複数の前記自販機番号を設定されて記憶し、該自販機番号を順次読み出しつつ、この読み出した自販機番号を指定して親自動販売機へその収集データの送信を要求し、
親自動販売機はその収集データのうち、前記のように指定された自販機番号のデータを検索してハンディターミナル機へ送信するものであるようにする。
【００１０】
請求項６のデータ収集システムでは、
請求項１記載のデータ収集システムにおいて、
各自動販売機はそれぞれ故障情報を記憶し、
親自動販売機は各自動販売機の発生データをそれぞれ当該の自動販売機に記憶されている故障情報とともに収集記憶し、
ハンディターミナル機は前記故障情報を指定して親自動販売機へその収集データの送信を要求し、
親自動販売機はその収集データのうち、前記のように指定された故障情報のある自動販売機のデータを検索してハンディターミナル機へ送信するものであるようにする。
【００１１】
請求項７のデータ収集システムでは、
請求項１記載のデータ収集システムにおいて、
各自動販売機はそれぞれ満杯数としきい値から検出したしきい値割れ情報を記憶し、
親自動販売機は各自動販売機の発生データをそれぞれ当該の自動販売機に記憶されているしきい値割れ情報とともに収集記憶し、
ハンディターミナル機は前記しきい値割れ情報を指定して親自動販売機へその収集データの送信を要求し、
親自動販売機はその収集データのうち、前記のように指定されたしきい値割れのある自動販売機のデータを検索してハンディターミナル機へ送信するものであるようにする。
【００１２】
請求項８のデータ収集システムでは、
請求項１記載のデータ収集システムにおいて、
各自動販売機はそれぞれ満杯数を記憶し、
親自動販売機は各自動販売機の発生データをそれぞれ当該の自動販売機に記憶されている満杯数とともに収集し、かつあらかじめ設定されている各自動販売機に対応したしきい値と前記満杯数及び発生データとからしきい値割れを算出した場合にこのしきい値割れ情報を記憶し、
ハンディターミナル機は前記しきい値割れ情報を指定して親自動販売機へその収集データの送信を要求し、
親自動販売機はその収集データのうち、前記のように指定されたしきい値割れのある自動販売機のデータを検索してハンディターミナル機へ送信するものであるようにする。
【００１３】
【作用】
各自販機のデータは上位自販機から下位自販機へのポーリングによって収集し、必要に応じさらにこの収集データを自販機間で中継することで最上位の自販機へ収集し蓄積する。そして無線Ｈ／Ｔ機でこの最上位の自販機に通信し、その蓄積データを収集するが、
請求項１及び２に係わる発明では、最上位自販機への通信時、このグループＮｏ．を指定することで、最上位自販機が蓄積した自販機データの中の指定したグループＮｏ．を持つ自販機のデータだけを収集する。
【００１４】
請求項１及び３（又は１及び４）に係わる発明では、最上位自販機への通信時、グループＮｏ．を指定することで、最上位自販機の蓄積データ中の当該グループ内の自販機Ｎｏ．を持つ自販機のデータだけを収集する。
請求項１及び５に係わる発明では、最上位自販機への通信時、グループ化自販機Ｎｏ．を順次指定しつつ、最上位自販機の蓄積データ中の当該自販機Ｎｏ．を持つ自販機のデータだけを収集する。
【００１５】
請求項１及び６に係わる発明では、最上位自販機への通信時、故障情報を指定することで、最上位自販機が蓄積した自販機データの中の故障情報を持つ自販機のデータだけを収集する。
請求項１及び７（又は１及び８）に係わる発明では、最上位自販機への通信時、しきい値割れ情報を指定することで、最上位自販機が蓄積した自販機データの中のしきい値割れ情報を持つ自販機のデータだけを収集する。
【００１６】
【実施例】
図８はこの発明システムを適用する自販機Ａの制御ブロック図である。
この図で、１は販売制御装置であり、自販機Ａでの販売動作を総括的に制御するとともに、この自販機での販売，補給，故障データなどからなる自販機データを自動販売機情報作成装置２へ送信する。
【００１７】
次に、２は自動販売機情報作成装置であり、ここで３はＣＰＵ、４は販売制御装置と交信するための通信インタフェース（以下インタフェースをＩ／Ｆと略記する）、５は自機の自販機データ及び他機の自販機データを記憶するＲＡＭ、６はＲＯＭ、７は時計ＩＣ、８は次に述べる特定小電力無線機との通信Ｉ／Ｆ、９は他自販機や無線Ｈ／Ｔ機と交信するための特定小電力無線機、Ｚはこの無線機９のアンテナである。
【００１８】
図１１はこの発明を適用する無線Ｈ／Ｔ機Ｂの制御ブロック図である。
この図で、１３はＣＰＵ、１５はＲＡＭ、１６はＲＯＭ、１８は次に述べる特定小電力無線機との通信Ｉ／Ｆ、１９は自販機側の無線機と交信するための特定小電力無線機、Ｚはこの無線機１９のアンテナである。
（１）第１発明（請求項１及び２に係わる発明）について
図１は第１発明のブロック図である。同図において自販機ＡはＡ0 〜Ａn の複数台存在し、Ａ0 は最上位の親自販機、Ａ1 〜Ａn は下位の子自販機とする。
【００１９】
各自販機内の５１ー１はＲＡＭ５又はＲＯＭ６内のグループＮｏ．記憶手段、５２，５２ー１は同じくＲＡＭ５内の自販機データのメモリである。子自販機Ａ1 〜Ａn のメモリ５２には各自販機自身の自販機データ（自機データ）だけが記憶される。これに対し、親自販機Ａ0 のメモリ５２ー１には自機データと自機のグループＮｏ．のほかに、他機Ａ1 〜Ａn から収集した自販機データ（他機データ）が各自販機のグループＮｏ．とともに記憶される。
【００２０】
図９は親自販機Ａ0 のメモリ５２ー１の内容の例である。
親自販機Ａ0 の３１は、この発明に係わるＣＰＵ３の部分機能部としての検索応答手段である。
また、図１の無線Ｈ／Ｔ機Ｂで、２０はキーボード、１５１ー１はＲＡＭ１５又はＲＯＭ１６内のグループＮｏ．記憶手段、１５２はＲＡＭ１５内の受信データ記憶手段、１３１はこの発明に係わるＣＰＵ１３の部分機能部としての通信制御手段である。
【００２１】
図１２はグループＮｏ．記憶手段１５１ー１の内容の例である。
図１７は通常状態での親自販機Ａ0 と子自販機Ａ1 〜Ａn 間の交信（データ収集）のシーケンスを示し、図１８は無線Ｈ／Ｔ機Ｂによるデータ収集時の無線Ｈ／Ｔ機Ｂと親自販機Ａ0 間の交信のシーケンスを示す。
次に図１７の交信について説明する。あらかじめ各自販機（Ａ0 〜Ａn ）の無線制御情報はＲＯＭ６に、グループＮｏ．は図１で述べたようにＲＡＭ５又はＲＯＭ６のグループＮｏ．記憶手段５１ー１（図１）に記憶させておく。通常、各自販機の自動販売機情報作成装置２は、ＣＰＵ３により通信Ｉ／Ｆ４を介して販売制御装置１が送信する販売データや故障データなどからなる自販機データを受信し、ＲＡＭ５のメモリ５２（図１）に自機データとして記憶している。
【００２２】
まず親自販機Ａ0 までの各自販機データの収集について説明する。上位の自販機（この例では親自販機）の自動販売機情報作成装置２は、ＲＯＭ６の無線制御情報により通信Ｉ／Ｆ８を制御し、特定小電力無線機９から下位の自販機（この場合子自販機）に対してポーリング（データ要求）を行う。
これに対してポーリング先（下位自販機）の特定小電力無線機９は、その自販機の通信Ｉ／Ｆ８を介しＣＰＵ３に伝文を伝える。ＣＰＵ３は前記のポーリングに対応して、ＲＡＭ５に記憶した自機データとＲＡＭ５又はＲＯＭ６に記憶したグループＮｏ．を、通信Ｉ／Ｆ８と特定小電力無線機９を介して送信する。このシーケンスを繰り返すことにより、親自販機Ａ0 のＲＡＭ５には図９に示すように自機データとともに、各子自販機Ａ1 〜Ａn の自販機データ（他機データ）が蓄積される。
【００２３】
ただし、自販機の配置によっては、親自販機Ａ0 がすべての子自販機Ａ1 〜Ａn に直接ポーリングして自販機データを収集することが困難な場合がある。この場合には、子自販機の中に更に上位のもの（仮に子親自販機と呼ぶ）を設け、まずこの子親自販機が下位の子自販機にポーリングしてその自販機データを収集する（このとき、この子親自販機のＲＡＭ５のメモリ５２には自機データと他機データとがいったん格納される）。次に、この子親自販機を親自販機がポーリングしてその自機データと前回格納された他機データを収集する方法を用いることもできる。
【００２４】
次に図１８の交信について説明する。無線Ｈ／Ｔ機Ｂがこの親自販機Ａ0 からグループＮｏ．１の自販機データを収集する場合、ルートマンは無線Ｈ／Ｔ機Ｂのキーボード２０から、グループＮｏ．の値“０１”をあらかじめ入力する。これをＣＰＵ１３が読み込み、図１２のようにＲＡＭ１５のグループＮｏ．記憶手段１５１ー１（図１）に記憶する。その後、ＣＰＵ１３の通信制御手段１３１はＲＯＭ１６にあらかじめ記憶していた無線制御情報により通信Ｉ／Ｆ１８を介し、特定小電力無線機１９から親自販機Ａ0 へグループＮｏ．１の自販機データを要求する。
【００２５】
これに対し親自販機Ａ0 は、特定小電力無線機９から通信Ｉ／Ｆ８を介し伝文を受信する。ＣＰＵ３の検索応答手段３１は要求されたグループＮｏ．１の自販機のデータを、メモリ５２ー１に蓄積した自販機データの中から検索し、グループＮｏ．が一致する１台目の自販機のデータを無線Ｈ／Ｔ機Ｂへ送信する。
無線Ｈ／Ｔ機Ｂはこの自販機データを特定小電力無線機１９から通信Ｉ／Ｆ１８を介して受信し、ＲＡＭ１５の受信データ記憶手段１５２に格納する。そして、正常受信した旨（ＯＫ）を親自販機Ａ0 に対して送信する。
【００２６】
次に親自販機Ａ0 は指定されたグループＮｏ．１に該当する残り自販機のデータがあれば、これを上記の手順と同様に送信する。これをグループＮｏ．１の自販機データ分（この例ではｍ台分）繰り返すことにより、無線Ｈ／Ｔ機Ｂは、親自販機Ａ0 に蓄積された自販機データの中から指定したグループに属する自販機のデータを収集する。この収集データを集計することによりルートマンは、目的のグループの自販機だけのルート情報を得ることができる。
（２）第２発明（請求項１及び３に係わる発明）について
第２発明は第１発明のグループＮｏ．の代わりに各自販機に固有の自販機Ｎｏ．を用いる。図２は第２発明のブロック図である。図２では、図１における各自販機Ａ0 〜Ａn のグループＮｏ．記憶手段５１ー１が、自販機Ｎｏ．記憶手段５１ー２に置き換わり、これに対応して親自販機Ａ0 のメモリも５２ー２に置き換わっている。
【００２７】
図１０はこのメモリ５２ー２の内容の例である。
また、図２の無線Ｈ／Ｔ機ＢにはグループＮｏ．記憶手段１５１ー１のほかに、グループＮｏ．／自販機Ｎｏ．対応テーブル１５１ー２が追加されている。
図１３はこの無線Ｈ／Ｔ機ＢのＲＡＭ１５内のグループＮｏ．／自販機Ｎｏ．対応テーブル１５１ー２の内容である。
【００２８】
図１９は親自販機Ａ0 が子自販機Ａ1 〜Ａn から自販機データを収集する際の交信シーケンスを示す。この図１９の動作は、図１７でのグループＮｏ．が自販機Ｎｏ．に代わるだけで図１７と同様である。
すなわち、親自販機Ａ0 のデータ要求に対し、子自販機Ａ1 〜Ａn はそれぞれ自身の自販機データに自販機Ｎｏ．を付けて親自販機へ送信する。このようにして親自販機Ａ0 のＲＡＭ５のメモリ５２ー２には、図１０のように各自販機の自販機データが自販機Ｎｏ．ごとに蓄積される。
【００２９】
図２０は第２発明における無線Ｈ／Ｔ機Ｂと親自販機Ａ0 との交信のシーケンスを示す。あらかじめ無線Ｈ／Ｔ機ＢのＲＡＭ１５のグループＮｏ．／自販機Ｎｏ．対応テーブル１５１ー２には、図１３のようにグループＮｏ．別に自販機のＮｏ．を記憶させておく。
次に図２０において、まずルートマンは無線Ｈ／Ｔ機Ｂのキーボード２０からデータ収集する自販機のグループＮｏ．、例えば“０１”を入力する。グループＮｏ．の記憶は第１発明と同様である。これにより無線Ｈ／Ｔ機ＢのＣＰＵ１３は、ＲＡＭ１５のグループＮｏ．／自販機Ｎｏ．対応テーブル１５１ー２（図１３）から指定入力されたグループＮｏ．に対応する自販機Ｎｏ．を検索する。図１３の例ではグループＮｏ．１に属する自販機Ｎｏ．は１〜５であることがわかる。そこで無線Ｈ／Ｔ機Ｂは親自販機Ａ0 に対して、まず自販機Ｎｏ．１の自販機データを要求する。これに対し親自販機Ａ0 は、図１０のように蓄積したデータの中から指定された自販機Ｎｏ．の自販機データを無線Ｈ／Ｔ機Ｂに送信する。この動作を指定されたグループに属する自販機分（図２０の例では自販機Ｎｏ．１から自販機Ｎｏ．ｍまで）繰り返すことにより、無線Ｈ／Ｔ機Ｂは所望のグループだけの自販機データを収集できる。
（３）第３発明（請求項１及び４に係わる発明）について
図３は第３発明のブロック図である。第２発明ではグループＮｏ．に対応する自販機Ｎｏ．をあらかじめ無線Ｈ／Ｔ機Ｂに記憶させていたが、この第３発明では図３のように親自販機Ａ0 にグループＮｏ．と自販機Ｎｏ．の対応テーブル５１ー３を記憶させておく。また、各自販機Ａ0 〜Ａn の自販機Ｎｏ．記憶手段５１ー２には自販機Ｎｏ．を記憶させておく。
【００３０】
この第３発明における親自販機Ａ0 と子自販機Ａ1 〜Ａn との交信シーケンスは図１９と同様で、親自販機Ａ0 の自販機データの収集方法は第２発明と同様である。
次に第３発明における無線Ｈ／Ｔ機Ｂと親自販機Ａ0 との交信シーケンスは、親自販機Ａ0 のデータ検索の動作（図外）を除けば図１８（第１発明）と同様である。すなわち、あらかじめ無線Ｈ／Ｔ機Ｂに対し、第１発明と同様にグループＮｏ．を操作入力することで、無線Ｈ／Ｔ機ＢはそのグループＮｏ．を指定して親自販機Ａ0 に自販機データの要求を行う。親自販機では検索応答手段３１を介し、グループＮｏ．／自販機Ｎｏ．対応テーブル５１ー３からこの指定されたグループに属する自販機Ｎｏ．を検索し、さらにこの自販機Ｎｏ．についてのメモリ５２ー２内の自販機データを検索する。そして、検索した自販機データを無線Ｈ／Ｔ機Ｂに応答し、これをそのグループに属する自販機台数（ｍ台）分繰り返すことにより、無線Ｈ／Ｔ機Ｂは指定したグループの自販機データを収集する。（４）第４発明（請求項１及び５に係わる発明）について
図４は第４発明のブロック図である。この図４は図２に対し無線Ｈ／Ｔ機Ｂの記憶手段１５１ー１，１５１ー２に代わり、グループ化自販機Ｎｏ．記憶手段１５１ー３を設けた点が異なる。この第４発明における自販機間の交信シーケンスは、図１９（第２発明）と同様である。
【００３１】
図２１は第４発明における無線Ｈ／Ｔ機Ｂと親自販機Ａ0 間の交信シーケンスを示す。ルートマンはあらかじめ無線Ｈ／Ｔ機Ｂに対し、グループとして収集する自販機ｍ台の自販機Ｎｏ．をキーボード２０から入力する。これをＣＰＵ１３がＲＡＭ１５のグループ化自販機Ｎｏ．記憶手段１５１ー３に格納する。そしてｍ台の自販機Ｎｏ．の入力が終了したら交信を開始する。無線Ｈ／Ｔ機ＢのＣＰＵ１３は親自販機Ａ0 に対し、グループ化自販機Ｎｏ．記憶手段１５１ー３に記憶した自販機Ｎｏ．を付加した自販機データの要求信号を、通信Ｉ／Ｆ１８，特定小電力無線機１９を介して送信する。
【００３２】
親自販機Ａ0 は、この自販機データの要求を特定小電力無線機９，通信Ｉ／Ｆ８を介しＣＰＵ３に送る。この要求により親自販機のＣＰＵ３は、ＲＡＭ５のメモリ５２ー２内の自販機データの中から一致する自販機Ｎｏ．の自販機データを検索応答手段３１を介して検索し、対応する自販機データを通信Ｉ／Ｆ８，特定小電力無線機９を介し無線Ｈ／Ｔ機Ｂに応答する。
【００３３】
この応答を無線Ｈ／Ｔ機Ｂは要求時と逆順で受信し、ＲＡＭ１５の受信データ記憶手段１５２に記憶する。この動作をルートマンが入力した自販機Ｎｏ．の数（この場合ｍ台）分繰り返すことで、集計したい自販機Ｎｏ．の自販機データだけを収集できる。
（５）第５発明（請求項１及び６に係わる発明）について
以下の第５〜７発明では、無線Ｈ／Ｔ機Ｂが親自販機へデータを要求する際の指定データが、上述の第１〜４発明と異なる。第１〜４発明では、自販機のグループ番号や自販機番号のように各自販機にあらかじめ設定されたデータを指定データとした。これに対し、第５〜７発明では、各自販機の故障の有無（第５発明）や、しきい値割れの有無（第６，７発明）を指定データとする。
【００３４】
図５は第５発明のブロック図である。
この第５発明では、第２〜第４発明での自販機Ｎｏ．記憶手段５１ー２の代わりに故障記憶手段５１ー４を用いる。これに対応して、親自販機Ａ0 のメモリも５２ー２から５２ー３に置き換わる。
なお、先述と同様に、各自販機内のメモリ５２はＲＡＭ５内の自販機データのメモリである。また、子自販機Ａ1 〜Ａn のメモリ５２には自身の自販機データだけが格納されているが、親自販機Ａ0 のメモリ５２ー３には自機データと自機の故障情報のほか、他機Ａ1 〜Ａn から収集した自販機データ（他機データ）が故障情報とともに格納されている。
【００３５】
図１４は親自販機のメモリ５２ー３の内容の例である。
また、先述と同様に、図５の無線Ｈ／Ｔ機Ｂで、２０はキーボード、１５２はＲＡＭ１５内の受信データ記憶手段、１３１はＣＰＵ１３の部分機能としての通信制御手段である。
図２２は通常状態での親自販機Ａ0 と子自販機Ａ1 〜Ａn 間の交信のシーケンスを示し、図２３は無線Ｈ／Ｔ機Ｂによるデータ収集時の無線Ｈ／Ｔ機Ｂと親自販機Ａ0 間のの交信シーケンスを示す。
【００３６】
次に、図２２の交信シーケンスについて説明する。先述と同様に、各自販機の通信制御情報はあらかじめＲＯＭ６に記憶させておく。通常、各自販機の自動販売機情報作成装置２は、ＣＰＵ３を用いて通信Ｉ／Ｆを介して販売制御情報装置１の送信する販売データや故障データなどからなる自販機データを受信し、ＲＡＭ５のメモリ５２（図５）に自販機データとして記憶している。そして、故障があった場合、ＲＡＭ５のメモリ５１ー４（図５）の故障記憶手段に故障有りを故障情報として記憶する。
【００３７】
まず、親自販機Ａ0 までの各自販機データの収集について説明する。
上位の自販機の自動販売機制御情報作成装置２は、ＲＯＭ６の無線制御情報により下位自販機に対して通信Ｉ／Ｆ８を制御し、特定小電力無線機９からポーリング（データ要求）を行う。
これに対して、ポーリング先（下位自販機）の特定小電力無線機９は、その自販機の通信Ｉ／Ｆ８を介しＣＰＵ３に伝文を伝える。このＣＰＵ３では前記のポーリングに対し、ＲＡＭ５に記憶した自販機データと故障情報を通信Ｉ／Ｆ８と特定小電力無線機９を介して応答する。このシーケンスを繰り返すことにより、親自販機Ａ0 のＲＡＭ５には、図１４に示すように自機のデータとともに各子自販機の自販機データが蓄積される。
【００３８】
次に、図２３の交信について説明する。無線Ｈ／Ｔ機Ｂがこの親自販機Ａ0 からデータ収集する場合、ルートマンはキーボード２０からの入力で交信を起動する。ＣＰＵ１３の通信制御手段１３１はＲＯＭ１６にあらかじめ記憶していた無線制御情報により通信Ｉ／Ｆ１８を介し、特定小電力無線機１９から親自販機Ａ0 へ自販機データを要求する。
【００３９】
これに対して親自販機Ａ0 は、特定小電力無線機９から通信Ｉ／Ｆ８を介し伝文を受信する。ＣＰＵ３の検索応答手段３１は故障がある自販機の自販機データをメモリ５２ー３に蓄積した自販機データの中から検索し、１台目の自販機のデータを無線Ｈ／Ｔ機Ｂに送信する。
無線Ｈ／Ｔ機Ｂはこの自販機データを特定小電力無線機１９から通信Ｉ／Ｆ１８を介して受信し、ＲＡＭ１５の受信データ記憶手段１５２に格納する。そして、正常受信した旨（ＯＫ）を親自販機Ａ0 に対して送信する。
【００４０】
次に親自販機Ａ0 は他に故障有りの自販機があれば上記の手順と同様に送信する。これを繰り返すことにより、無線Ｈ／Ｔ機Ｂには、親自販機Ａ0 に蓄積された自販機データの中から故障している自販機のデータが収集される。この収集データを集計することによりルートマンは故障した自販機の情報を得ることができる。
（６）第６発明（請求項１及び７に係わる発明）について
図６は第６発明のブロック図である。
【００４１】
この図で各自販機の、５３はしきい値記憶手段、５４は満杯数記憶手段で、いずれもＲＡＭ５内のメモリである。また、各自販機の３２は、この発明に係わるＣＰＵ３の部分機能部としてのしきい値割れ検出手段である。さらに、５２ー４は親自販機Ａ0 のメモリである。
この発明では、販売制御装置１から通信Ｉ／Ｆ４を介して販売データをＣＰＵ３が受信するたびに、あらかじめＲＡＭ５に記憶しておいたしきい値と満杯数を読み出し、自販機の販売による残りの商品数がしきい値割れを起こしていないか判定する。すなわち、満杯数から販売数を引いた値がしきい値より小さいかどうかを判定する。
【００４２】
これにより、しきい値割れを検出した場合、自販機データとしてＲＡＭ５に記憶しておき、親自販機あるいは上位自販機からのデータ要求に対して自販機データとともに送出する。
図２４は親自販機Ａ0 が子自販機Ａ1 〜Ａn から自販機データを収集する際の交信シーケンスを示す。図２４の動作は、先述の図２２での故障情報がしきい値割れ情報に換わるだけで図２２と同様である。
【００４３】
すなわち、親自販機Ａ0 のデータ要求に対し、子自販機Ａ1 〜Ａn はそれぞれ自身の自販機データにしきい値割れ情報を付けて親自販機へ送信する。例えば、しきい値割れなしの時には０、ありの時には１とするなどである。
このようにして、親自販機Ａ0 のＲＡＭ５には図１５のように各自販機の自販機データがしきい値割れ情報とともに蓄積される。
【００４４】
図２５は第６発明における無線Ｈ／Ｔ機Ｂと親自販機Ａ0 との交信シーケンスを示す。図２５の動作は、先述の図２３での無線Ｈ／Ｔ機の故障自販機情報の自販機データ要求が、しきい値割れの自販機データ要求に換わるだけで図２３と同様である。
すなわち、無線Ｈ／Ｔ機Ｂのデータ要求に対し、親自販機Ａ0 は蓄積した自販機の自販機データの中からしきい値割れを起こしている自販機のデータを繰り返し送信することにより、無線Ｈ／Ｔ機Ｂにしきい値割れした自販機のデータが収集される。
（７）第７発明（請求項１及び８に係わる発明）について
先述の第６発明ではしきい値割れを各自販機が判定したが、この第７発明では子自販機から収集したデータに基づき親自販機が判定する。
【００４５】
各自販機は、図２６に示すように、販売制御装置１からの自販機データとあらかじめ記憶している満杯数を上位自販機からのデータ要求に対して送出する。
親自販機Ａ0 は他自販機のデータを収集するたびに、ＲＡＭ５に蓄積するが、この時、あらかじめＲＡＭ５及びＲＯＭ６のしきい値記憶手段に記憶していたしきい値を読み出し、ＣＰＵ３により受信した各自販機の満杯数と自販機データからしきい値割れを判定し、しきい値割れを検出したときには各自販機データとともにしきい値割れ情報として記憶する。
【００４６】
無線Ｈ／Ｔ機Ｂと親自販機Ａ0 の交信シーケンスは先述の第６発明での交信シーケンスを示す図２５と同様である。すなわち、無線Ｈ／Ｔ機Ｂのデータ要求に対し、親自販機Ａ0 は蓄積した自販機の自販機データの中からしきい値割れしている自販機のデータを繰り返し送信することにより、無線Ｈ／Ｔ機Ｂにはしきい値割れしている自販機のデータが収集される。
【００４７】
なお、しきい値については、あらかじめ記憶する方法について説明したが、プリセッタなどにより外部インタフェースにより入力してもよい。
【００４８】
【発明の効果】
この発明によれば無線Ｈ／Ｔ機が自販機データを収集する際、親自販機に蓄積された複数の自販機の自販機データの中から、指定した自販機あるいは指定したデータを持つ自販機データだけを収集できるようにしたので、次の効果が得られる。
【００４９】
（１）収集したいデータだけを収集するので、データ収集時間が短くなり無線接続時間も短くなる。この結果トラヒックが少くなる。
（２）必要なデータだけを収集するので、集計などのデータ処理が容易になり作業効率が向上する。
（３）親機をグループごとに設置する必要がなく、通信ルート構築が容易である。
【図面の簡単な説明】
【図１】第１発明のブロック図
【図２】第２発明のブロック図
【図３】第３発明のブロック図
【図４】第４発明のブロック図
【図５】第５発明のブロック図
【図６】第６発明のブロック図
【図７】第７発明のブロック図
【図８】自販機の制御回路の要部のブロック図
【図９】第１発明における親自販機のメモリ内の収集データの構成例を示す図
【図１０】第２，第３，第４発明における親自販機のメモリ内の収集データの構成例を示す図
【図１１】無線Ｈ／Ｔ機の制御回路の要部ブロック図
【図１２】第１，第２，第３発明における無線Ｈ／Ｔ機内のグループＮｏ．記憶手段の構成例を示す図
【図１３】第２，第３発明におけるグループＮｏ．／自販機Ｎｏ．対応テーブルの構成例を示す図
【図１４】第５発明における親自販機のメモリ内の収集データの構成例を示す図
【図１５】第６発明における親自販機のメモリ内の収集データの構成例を示す図
【図１６】第７発明における親自販機のメモリ内の収集データの構成例を示す図
【図１７】第１発明における親，子自販機間の交信シーケンスを示す図
【図１８】第１，第３発明における親自販機，無線Ｈ／Ｔ機間の交信シーケンスを示す図
【図１９】第２，第３，第４発明における親，子自販機間の交信シーケンスを示す図
【図２０】第２発明における親自販機，無線Ｈ／Ｔ機間の交信シーケンスを示す図
【図２１】第４発明における親自販機，無線Ｈ／Ｔ機の交信シーケンスを示す図
【図２２】第５発明における親，子自販機間の交信シーケンスを示す図
【図２３】第５発明における親自販機，無線Ｈ／Ｔ機間の交信シーケンスを示す図
【図２４】第６発明における親，子自販機間の交信シーケンスを示す図
【図２５】第６発明における親自販機，無線Ｈ／Ｔ機間の交信シーケンスを示す図
【図２６】第７発明における親，子自販機間の交信シーケンスを示す図
【符号の説明】
Ａ（Ａ0 〜Ａn ）  自動販売機（自販機）
Ａ0   親自販機
Ａ1 〜Ａn   子自販機
Ｂ    無線ハンディターミナル機（無線Ｈ／Ｔ機）
１    販売制御装置
２    自動販売機情報刺すエイ装置
３    ＣＰＵ
４    通信Ｉ／Ｆ
５    ＲＡＭ
６    ＲＯＭ
７    時計
８    通信Ｉ／Ｆ
９    特定小電力無線機
１３    ＣＰＵ
１５    ＲＡＭ
１６    ＲＯＭ
１８    通信Ｉ／Ｆ
１９    特定小電力無線機
２０    キーボード
３１    検索応答手段
３２    しきい値割れ検出手段
５１ー１    グループＮｏ．記憶手段
５１ー２    自販機Ｎｏ．記憶手段
５１ー３    グループＮｏ．／自販機Ｎｏ．対応テーブル
５１ー４    故障記憶手段
５１    メモリ
５２ー１    メモリ
５２ー２    メモリ
５２ー３    メモリ
５２ー４    メモリ
５２ー５    メモリ
１３１    通信制御手段
１５１ー１    グループＮｏ．記憶手段
１５１ー２    グループＮｏ．／自販機Ｎｏ．対応テーブル
１５１ー３    グループ化自販機Ｎｏ．記憶手段
１５２    受信データ記憶手段
【図１】
0003770630.tif 000002
【図２】
0003770630.tif 000003
【図３】
0003770630.tif 000004
【図４】
0003770630.tif 000005
【図５】
0003770630.tif 000006
【図６】
0003770630.tif 000007
【図７】
0003770630.tif 000008
【図８】
0003770630.tif 000009
【図９】
0003770630.tif 000010
【図１０】
0003770630.tif 000011
【図１１】
0003770630.tif 000012
【図１２】
0003770630.tif 000013
【図１３】
0003770630.tif 000014
【図１４】
0003770630.tif 000015
【図１５】
0003770630.tif 000016
【図１６】
0003770630.tif 000017
【図１７】
0003770630.tif 000018
【図１８】
0003770630.tif 000019
【図１９】
0003770630.tif 000020
【図２０】
0003770630.tif 000021
【図２１】
0003770630.tif 000022
【図２２】
0003770630.tif 000023
【図２３】
0003770630.tif 000024
【図２４】
0003770630.tif 000025
【図２５】
0003770630.tif 000026
【図２６】
0003770630.tif 000027